(57)【要約】【課題】カメラへのアクセサリの装着を容易にする。【解決手段】本発明のカメラ１は、マウント開口２１ａを備えたカメラ側マウント部２０に設けられ、カメラ側マウント部に装着されるアクセサリ２に備えられたアクセサリ側マウント部７０に機械的に係合し、アクセサリ側マウント部とカメラ側マウント部との光軸方向への相対移動を制限する制限部２３と、カメラ側マウント部に設けられ、フランジバック長を規定するカメラ側基準面部２５ａと、を備え、カメラ側基準面部の光軸方向の配置位置が、制限部の位置と重なる位置、又は、制限部２３よりも被写体光が結像する結像面側の位置であり、カメラ側マウント部への装着の際に、アクセサリ側マウント部の係合突起７３がカメラ側の係合溝２６に当接するよりも先に、被ガイド部４２と接触し、アクセサリ側マウント部のマウント開口内部への光軸方向の移動を案内するガイド部４１を備える。【選択図】図２
2010060976.tif 000002
【特許請求の範囲】
【請求項１】
被写体光が通過するマウント開口を備えたカメラ側マウント部に設けられ、該カメラ側マウント部に装着されるアクセサリに備えられたアクセサリ側マウント部に機械的に係合することによって、該アクセサリ側マウント部と前記カメラ側マウント部との前記被写体光の光軸方向への相対移動を制限する制限部と、
前記カメラ側マウント部に設けられ、フランジバック長を規定するカメラ側基準面部と、を備え、
前記カメラ側基準面部の前記光軸方向の配置位置が、前記制限部の前記光軸方向の位置と重なる位置、又は、前記制限部よりも前記被写体光が結像する結像面側の位置であるカメラであって、
前記アクセサリの前記カメラ側マウント部への装着の際に、前記アクセサリ側マウント部のアクセサリ側基準面部が前記カメラ側基準面部に当接するよりも先に、前記アクセサリに設けられた被ガイド部と接触し、前記アクセサリ側マウント部の前記マウント開口内部への前記光軸方向の移動を案内するガイド部を備えること、
を特徴とするカメラ。
【請求項２】
請求項１に記載のカメラであって、
前記ガイド部は、前記光軸方向において、前記制限部よりも、被写体側に設けられていること、
を特徴とするカメラ。
【請求項３】
請求項２に記載のカメラであって、
前記カメラ側基準面部から前記ガイド部の被写体側端部までの前記光軸方向の距離が、前記アクセサリのカメラ側端部から前記被ガイド部までの前記光軸方向の距離よりも大きいこと、
を特徴とするカメラ。
【請求項４】
請求項１〜３のいずれか１項に記載のカメラであって、
前記ガイド部と前記制限部とが一体部材として形成されていること、
を特徴とするカメラ。
【請求項５】
請求項４に記載のカメラであって、
前記一体部材は、カメラボディに対して交換可能であること、
特徴とするカメラ。
【請求項６】
請求項５に記載のカメラであって、
前記ガイド部は光軸を中心とし且つ前記光軸方向を向いた円周面に沿って連続的に設けられていること、
を特徴とするカメラ。
【請求項７】
請求項１〜６のいずれか１項に記載のカメラであって、
前記ガイド部には、Ｏリングが配置されていること、
を特徴とするカメラ。
【請求項８】
請求項１〜７のいずれか１項に記載のカメラであって、
前記ガイド部には、熱伝導シートが配置されていること、
を特徴とするカメラ。
【請求項９】
被写体光が通過するマウント開口を備えたカメラ側マウント部に設けられ、該カメラ側マウント部に装着されるアクセサリに備えられたアクセサリ側マウント部に機械的に係合することによって、該アクセサリ側マウント部と前記カメラ側マウント部との前記被写体光の光軸方向への相対移動を制限する制限部と、
前記カメラ側マウント部に設けられ、フランジバック長を規定するカメラ側基準面部と、を備え、
前記カメラ側基準面部の前記光軸方向の配置位置が、前記制限部の前記光軸方向の位置と重なる位置、又は、前記制限部よりも前記被写体光が結像する結像面側の位置であるカメラに対して着脱可能に設けられ、
当該カメラに装着された状態において、
前記アクセサリの前記カメラ側マウント部への装着の際に、前記アクセサリ側マウント部のアクセサリ側基準面部が前記カメラ側基準面部に当接するよりも先に、前記アクセサリに設けられた被ガイド部と接触し、前記アクセサリ側マウント部の前記マウント開口内部への前記光軸方向の移動を案内するガイド部を備えること、
を特徴とするガイド部材。
【発明の詳細な説明】
【技術分野】
【０００１】
本発明は、カメラ及び該カメラに対して着脱可能なアクセサリを装着するためのガイド部材に関するものである。
【背景技術】
【０００２】
従来、光学機器に対して着脱可能なアクセサリをその光学機器に装着する際、アクセサリが傾いて装着しにくい場合がある。この傾きを防止するため、光学機器（プロジェクタ）におけるマウント開口部の奥側（プロジェクタボディ内部側）にガイド部を設け、一方、アクセサリの先端に、このガイド部に案内される被ガイド部が設けられている。そして、装着の際に被ガイド部は、ガイド部によって案内される。（例えば、特許文献１参照）。
【特許文献１】特開２００３−１９５４１９号公報
【発明の開示】
【発明が解決しようとする課題】
【０００３】
しかし、上記従来技術によると、プロジェクタのガイド部がマウント開口部の奥側に設けられているため、ガイド部と被ガイド部との嵌合状態を目視しながらアクセサリをプロジェクタに対して装着することができず、装着が容易ではなかった。
【０００４】
本発明の課題は、カメラへのアクセサリの装着を容易にすることである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、被写体光が通過するマウント開口（２１ａ）を備えたカメラ側マウント部（２０）に設けられ、該カメラ側マウント部（２０）に装着されるアクセサリ（２）に備えられたアクセサリ側マウント部（７０）に機械的に係合することによって、該アクセサリ側マウント部（７０）と前記カメラ側マウント部（２０）との前記被写体光の光軸方向への相対移動を制限する制限部（２３）と、前記カメラ側マウント部（２０）に設けられ、フランジバック長を規定するカメラ側基準面部（２５ａ）と、を備え、前記カメラ側基準面部（２５ａ）の前記光軸方向の配置位置が、前記制限部（２３）の前記光軸方向の位置と重なる位置、又は、前記制限部（２３）よりも前記被写体光が結像する結像面側の位置であるカメラ（１）であって、前記アクセサリ（２）の前記カメラ側マウント部（２０）への装着の際に、前記アクセサリ側マウント部（７０）のアクセサリ側基準面部（７１ａ）が前記カメラ側基準面部（２５ａ）に当接するよりも先に、前記アクセサリ（２）に設けられた被ガイド部（４２）と接触し、前記アクセサリ側マウント部（７０）の前記マウント開口（２１ａ）内部への前記光軸方向の移動を案内するガイド部（４１）を備えること、を特徴とするカメラ（１）である。
請求項２に記載の発明は、請求項１に記載のカメラ（１）であって、前記ガイド部（４１）は、前記光軸方向において、前記制限部（２３）よりも、被写体側に設けられていること、を特徴とするカメラ（１）である。
請求項３に記載の発明は、請求項２に記載のカメラ（１）であって、前記カメラ側基準面部（２５ａ）から前記ガイド部（４１）の被写体側端部までの前記光軸方向の距離（ａ）が、前記アクセサリ（２）のカメラ側端部から前記被ガイド部（４２）までの前記光軸方向の距離（Ｂ）よりも大きいこと、を特徴とするカメラ（１）である。
請求項４に記載の発明は、請求項１〜３のいずれか１項に記載のカメラ（１）であって、前記ガイド部（４１）と前記制限部（２３）とが一体部材として形成されていること、を特徴とするカメラ（１）である。
請求項５に記載の発明は、請求項４に記載のカメラ（１）であって、前記一体部材（４１，２３）は、カメラボディ（１０）に対して交換可能であること、特徴とするカメラ（１）である。
請求項６に記載の発明は、請求項５に記載のカメラ（１）であって、前記ガイド部（４１）は光軸を中心とし且つ前記光軸方向を向いた円周面に沿って連続的に設けられていること、を特徴とするカメラ（１）である。
請求項７に記載の発明は、請求項１〜６のいずれか１項に記載のカメラ（１）であって、前記ガイド部（４１）には、Ｏリングが配置されていること、を特徴とするカメラ（１）である。
請求項８に記載の発明は、請求項１〜７のいずれか１項に記載のカメラ（１）であって、前記ガイド部（４１）には、熱伝導シート（部材）が配置されていること、を特徴とするカメラ（１）である。
請求項９に記載の発明は、被写体光が通過するマウント開口（２１ａ）を備えたカメラ側マウント部（２０）に設けられ、該カメラ側マウント部（２０）に装着されるアクセサリ（２）に備えられたアクセサリ側マウント部（７０）に機械的に係合することによって、該アクセサリ側マウント部（７０）と前記カメラ側マウント部（２０）との前記被写体光の光軸方向への相対移動を制限する制限部（２３）と、前記カメラ側マウント部（２０）に設けられ、フランジバック長を規定するカメラ側基準面部（２５ａ）と、を備え、前記カメラ側基準面部（２５ａ）の前記光軸方向の配置位置が、前記制限部（２３）の前記光軸方向の位置と重なる位置、又は、前記制限部（２３）よりも前記被写体光が結像する結像面側の位置であるカメラ（１）に対して着脱可能に設けられ、当該カメラ（１）に装着された状態において、前記アクセサリ（２）の前記カメラ側マウント部（２０）への装着の際に、前記アクセサリ側マウント部（７０）のアクセサリ側基準面（７１ａ）部が前記カメラ側基準面部（２５ａ）に当接するよりも先に、前記アクセサリ（２）に設けられた被ガイド部（４２）と接触し、前記アクセサリ側マウント部（７０）の前記マウント開口（２１ａ）内部への前記光軸方向の移動を案内するガイド部（４１）を備えること、を特徴とするガイド部材（２２）である。
なお、符号を付して説明した構成は、適宜改良してもよく、また、少なくとも一部を他の構成物に代替してもよい。
【発明の効果】
【０００７】
本発明によれば、カメラへのアクセサリの装着を容易にすることができる。
【発明を実施するための最良の形態】
【０００８】
以下、図面等を参照して、本発明の実施形態について説明する。なお、以下に示す図には、説明と理解を容易にするために、ＸＹＺ直交座標系を設けた。この座標系では、撮影者が光軸Ｏを水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【０００９】
図１は、本発明の第１実施形態のカメラ１及びレンズ鏡筒２の光軸を含む断面図であり、カメラ１にレンズ鏡筒２が装着されていない状態を示す。また、図２は、カメラ１にレンズ鏡筒２が装着された状態を示す。カメラ１は、カメラボディ１０、カメラ側マウント部２０、撮像ユニット３０等を備えている。
【００１０】
カメラボディ１０は、例えば、金属材料や合成樹脂材料によって略直方体の箱形に形成されている。カメラボディ１０の前面部には、正面視で円形の開口部（以下、ボディ開口部と称する）１１が形成されている。なお、カメラ１の前面部とは、カメラ１の各面部のうち、撮影時に被写体に対向する面部を意味するものとする。カメラボディ１０の背面部には、撮影済みの画像やスルー画像を表示する液晶表示装置１２が設けられている。
【００１１】
カメラ側マウント部２０は、カメラ１とレンズ鏡筒２とを締結するマウント機構の一部を形成するものであり、後に詳述する。撮像ユニット３０は、レンズ鏡筒２に備えられた撮影レンズ６０によって導かれた被写体光を電気信号に変換して出力する撮像素子３１、撮像素子３１の結像面に結像される被写体像にモアレが発生するのを抑制する光学ローパスフィルタ３２（ＬＰＦ３２）、ＬＰＦ３２の入射面に対向して設けられた振動板を振動させてこの振動板に付着したダストを払い落とすダスト除去ユニット３３等を備えている。
【００１２】
次に、カメラ１に備えられたカメラ側マウント部２０の構造について説明する。カメラ側マウント部２０は、カメラ側マウント基部２１、前飾り環２２、カメラ側爪部２３、押さえバネ２４、基準面規定部２５、係合溝２６、ラッチピン２７、電気接点２８等を備えたバヨネット式のマウントである。
【００１３】
カメラ側マウント基部２１は、例えば、合成樹脂材料のモールド或いはＭｇダイキャストによって形成された板状の部材であり、カメラボディ１０の内側面に固定されている。カメラ側マウント基部２１は、カメラボディ１０の正面部に形成された前述のボディ開口部１１の周縁部から、その内径側につば状に突き出して設けられ、その中央部には、被写体光が通過するカメラ側マウント開口部２１ａが形成されている。
【００１４】
前飾り環２２は、ボディ開口部１１の周縁部に沿って配置された円環状の部材であり、例えば、金属材料によって形成されている。前飾り環２２は、ボディ開口部１１の周縁部を外部から視認できない状態とすることによって、カメラ１の外観品質を向上させる機能を有する。前飾り環２２は、カメラ側マウント基部２１の撮像ユニット３０側の面からビス４０をねじ込むことによりカメラ側マウント基部２１に取り付けられ、前飾り環２２はカメラ１に対して着脱可能となっている。
【００１５】
カメラ側爪部２３は、カメラ１にレンズ鏡筒２が装着された状態において、後述するレンズ鏡筒２の鏡筒側マウント部７０に備えられた鏡筒側爪部７２に機械的に係合することによって、カメラ１とレンズ鏡筒２との光軸方向への相対移動を制限するものである。カメラ側爪部２３は、前飾り環２２の内周面から前飾り環２２の内径側に突き出して形成され、光軸周りに略等しい間隔で、例えば、３つが設けられている。
【００１６】
押さえバネ２４は、カメラ側爪部２３における撮像ユニット側を向いた面部に対向して配置された板バネであり、図１に示すように、カメラ１を正面からみた場合であっても、視認できないようになっている。押さえバネ２４は、レンズ鏡筒２がカメラ１に装着された状態で、鏡筒側マウント部７０に備えられた鏡筒側爪部７２を光軸方向撮影者側に押圧することによって、レンズ鏡筒２とカメラ１との光軸方向のガタ付きを抑制する。
【００１７】
カメラ側基準面規定部２５は、ステンレス等の金属材料によって円環状に形成された板状の部材であり、カメラ側マウント基部２１にビス４３によって固定されている。
【００１８】
カメラ側基準面規定部２５における光軸方向被写体側を向いた面部は、フランジバック長を規定する基準面部（以下、この面部をカメラ側基準面部２５ａと称する）として機能する。ここで、本明細書においてフランジバック長とは、撮像素子３１の結像面からカメラ側基準面規定部２５のカメラ側基準面部２５ａまでの距離（図１（ａ）において、符号Ｆを付して示す）を意味するものとする。
【００１９】
本実施形態において、カメラ側基準面部２５ａの光軸方向の配置位置は、カメラ側爪部２３の光軸方向の配置位置に対し、結像面側、すなわち撮像ユニット３０側となっている。これに限らず、カメラ側基準面部２５ａの光軸方向の配置位置は、カメラ側爪部２３の光軸方向の位置と重なる位置であってもよい。係合溝２６は、カメラ側マウント基部２１に形成された溝部であり、カメラ側基準面規定部２５の内周縁部に沿って延在し、その中心は、光軸と略一致している。
【００２０】
ラッチピン２７は、カメラ側基準面規定部２５のカメラ側基準面部２５ａから光軸方向被写体側に突き出して形成されている。このラッチピン２７は、レンズ鏡筒２がカメラ１に装着された状態で、レンズ鏡筒２の鏡筒側マウント部７０に設けられたラッチ孔７４に嵌合することによって、レンズ鏡筒２とカメラ１との光軸周りの相対回転を制限する。
【００２１】
ラッチピン２７は、カメラ側基準面部２５ａから突出した突出位置（図１参照）と、マウント基部２１に収容された収容状態との間を移動可能になっており、図示しないバネによって突出位置に付勢されている。カメラボディ１０の前面部には、ラッチピン操作ボタン（図示せず）が設けられており、このラッチピン操作ボタンを押し込むことによってラッチピン２７を収容状態に移動させることができる。
【００２２】
電気接点２８は、カメラ１とレンズ鏡筒２とを電気的に接続するものであり、レンズ鏡筒２がカメラ１に装着された状態で、レンズ鏡筒２の鏡筒側マウント部７０に備えられた電気接点７５（図２参照）に接触する。電気接点２８は、カメラ側マウント開口部２１ａの周縁部に沿って、複数個設けられている。カメラ１は、これらの接点の一部を用いてレンズ鏡筒２に電力を供給し、接点の他部を用いてレンズ鏡筒２と電気通信を行う。
【００２３】
電気接点２８は、ピン状に形成され、カメラ側マウント基部２１の光軸方向被写体側を向いた面部における係合溝２６よりも内径側の領域から光軸方向被写体側に突き出して設けられている。電気接点２８は、カメラ側マウント基部２１から突出した突出位置と、カメラ側マウント基部２１に収容された収容状態との間を移動可能な可動接点であり、図示しないバネによって突出位置に付勢されている。
【００２４】
次に、レンズ鏡筒２の構成について説明する。レンズ鏡筒２は、カメラ１に着脱可能に装着されるカメラ用アクセサリの一例であり、鏡筒本体部５０、撮影レンズ６０、鏡筒側マウント部７０等を備えている。
【００２５】
鏡筒本体部５０は、例えば、合成樹脂材料によって円筒形状に形成されている。撮影レンズ６０は、カメラ１に備えられた撮像素子３１に被写体光を導く光学系であり、鏡筒本体部５０の内部に収容されている。撮影レンズ６０は、複数のレンズ群によって形成され、その一部がズームレンズやフォーカスレンズとして機能する。
【００２６】
鏡筒側マウント部７０は、カメラ１とレンズ鏡筒２とを締結するマウント機構の他部を形成するものであり、鏡筒本体部５０の光軸方向カメラボディ側の端部に設けられている。なお、図１を含む各図面に示すレンズ鏡筒２は、カメラ１に装着可能なレンズ鏡筒の一例であり、カメラ１は、このレンズ鏡筒２と実質的に同じ構成の鏡筒側マウント部を備えた複数種類のレンズ鏡筒が選択的に装着可能になっている。
【００２７】
以下、鏡筒側マウント部７０の構造について説明する。鏡筒側マウント部７０は、カメラ１のカメラ側マウント部２０に対応した形状を有しており、鏡筒側マウント筒部７７、鏡筒側マウント基部７１、鏡筒側爪部７２、係合突起７３、ラッチ孔７４、電気接点７５等を備えている。
【００２８】
鏡筒側マウント筒部７７は、鏡筒本体部５０のカメラ１側に設けられた、鏡筒本体部５０より径の小さい筒部である。鏡筒側マウント基部７１は、鏡筒側マウント筒部７７の光軸方向カメラボディ側の開口部を閉塞する円板状の部分であり、その中央部には、被写体光を通過させるための開口部が形成されている。
【００２９】
爪部７２は、鏡筒側マウント筒部７７の外周面からレンズ鏡筒２の径方向外側に突き出して形成されている。鏡筒側爪部７２は、光軸周りに略等しい間隔で、例えば、３つが設けられている。３つの鏡筒側爪部７２の先端部によって規定される円の直径は、鏡筒本体部５０の直径と略同じとなっている。
【００３０】
係合突起７３は、鏡筒側マウント基部７１の光軸方向カメラボディ側を向いた面部からカメラ１側に突き出して形成された円環状の部分であり、その中心は、光軸と略一致している。係合突起７３は、レンズ鏡筒２がカメラ１に装着された状態において、カメラ１のカメラ側マウント部２０に備えられた係合溝２６に嵌合する。
【００３１】
係合突起７３と係合溝２６との間には、図２に示す嵌合状態でこれらの摺動を許容する程度の微小な隙間のみが形成されている。この嵌合状態では、レンズ鏡筒２とカメラ１との光軸周りの相対回転が許容される一方で、レンズ鏡筒２とカメラ１との径方向の相対移動が制限される。このように、係合突起７３と係合溝２６とは、カメラ１に対するレンズ鏡筒２の径方向の装着位置を規定する位置決め機構として機能する。
【００３２】
鏡筒側マウント基部７１におけるカメラ１側を向いた面部のうち、係合突起７３よりも外径側の領域７１ａは、レンズ鏡筒２がカメラ１に装着された状態でカメラ側マウント部２０に設けられたカメラ側基準面部２５ａに当接するようになっており、レンズ鏡筒２の鏡筒側基準面部として機能する。以下、この領域を鏡筒側基準面部７１ａと称する。前述した鏡筒側爪部７２のカメラボディ側を向いた面部と鏡筒側基準面部７１ａとは、光軸Ｏに直交する同一の平面内に配置されている。
【００３３】
ラッチ孔７４は、カメラ側マウント部２０の鏡筒側マウント基部７１に備えられたラッチピン２７が挿入される部分である。電気接点７５は、鏡筒側マウント基部７１に固定された固定接点であり、レンズ鏡筒２がカメラ１に装着された状態において、カメラ１のマウント部２０に備えられた電気接点２８に接触する位置に設けられている。
【００３４】
ここで、レンズ鏡筒２に備えられた鏡筒側マウント部７０の鏡筒側爪部７２及び鏡筒側基準面部７１ａの光軸方向の配置位置について説明する。鏡筒側マウント部７０は、カメラ側マウント部２０に対応する構成を有している。前述したように、カメラ側マウント部２０は、カメラ側爪部２３よりも撮像ユニット３０側にカメラ側基準面部２５ａが設けられているので、鏡筒側マウント部７０の鏡筒側爪部７２及び鏡筒側基準面部７１ａは、これに対応して、図２に示すように、レンズ鏡筒２の装着状態でそれぞれカメラ１側のカメラ側爪部２３よりも結像面側に配置される。
【００３５】
本実施形態におけるカメラ側マウント部２０、鏡筒側マウント部７０は、バヨネット式マウント機構の一種であり、カメラ１に対するレンズ鏡筒２の装着手順は、公知のバヨネット式マウント機構と概ね同じである。
【００３６】
すなわち、カメラ１とレンズ鏡筒２とを光軸方向に相対移動させてレンズ鏡筒２の鏡筒側爪部７２をカメラ側爪部２３の間に挿入させた後、レンズ鏡筒２とカメラ１とを光軸周りに相対回転させる。これによって、鏡筒側爪部７２がカメラ側爪部２３とカメラ側マウント基部２１との間に挿入され、カメラ１とレンズ鏡筒２との光軸方向への相対移動を制限する。また、レンズ鏡筒２に備えられたラッチ孔７４にカメラ１に備えられたラッチピン２７が挿入し、レンズ鏡筒２とカメラ１とが締結される。この締結状態において、鏡筒側爪部７２は、カメラ側爪部２３に固定された押さえバネ２４によってカメラ側基準面部２５ａに押圧されており、レンズ鏡筒２の鏡筒側基準面部７１ａとカメラ１のカメラ側基準面部２５ａとが密着し、レンズ鏡筒２のカメラ１に対する光軸方向のガタつきが抑制される。
【００３７】
次に、カメラ側マウント部２０と鏡筒側マウント部７０との関係を説明する。本実施形態において、カメラ側マウント部２０の前飾り環２２には、ガイド部４１が形成され、鏡筒側マウント部７０には被ガイド部４２が形成されている。
【００３８】
ガイド部４１は、カメラ側基準面部２５ａに比べて被写体側における、前飾り環２２におけるカメラ側爪部２３よりも被写体側の内径面に形成されている。そして、ガイド部４１は、前飾り環２２の内径面の全体に形成されている。また、ガイド部４１は前飾り環２２におけるカメラ側爪部２３よりも被写体側の全長にわたって連続的に形成されている。前飾り環２２には、ガイド部４１及びカメラ側爪部２３が形成されるが、これらは前飾り環２２に一体的に形成されるものである。これにより、部品点数の増加を防止することができる。
【００３９】
被ガイド部４２はガイド部４１に対応するように設けられるものであり、鏡筒側マウント部７０の鏡筒側マウント基部７１の外径面に形成されている。鏡筒側マウント基部７１には鏡筒側爪部７２が形成され、被ガイド部４２は鏡筒側マウント基部７１よりも被写体側に位置するように形成されている。そして、ここで、カメラ側基準面部２５ａからガイド部４１の先端部（被写体側端部）までの距離をＡとし、レンズ鏡筒２のカメラ側端部（係合突起７３の端部）から被ガイド部４２までの距離をＢとしたとき、距離Ａが距離Ｂよりも大きくなるように設定されている（距離Ａ＞距離Ｂ）。
【００４０】
すなわち、被ガイド部４２は、鏡筒側マウント基部７１の被写体側にある鏡筒本体部５０の外径面に形成されるものであり、カメラ１のガイド部４１と略同じ長さとなっている。被ガイド部４２はレンズ鏡筒２の装着時に、カメラ１のガイド部４１と接触し、これらの接触によって、鏡筒側マウント部７０のカメラ側マウント開口部２１ａ内における光軸方向の移動を案内する。
【００４１】
本実施形態によるレンズ鏡筒２のカメラ１への装着を説明する。図１に示すように、レンズ鏡筒２のカメラ１への装着前において、鏡筒側マウント部７０をカメラ側マウント部２０に対向させる。そして、レンズ鏡筒２カメラ１に対して光軸方向に相対移動させ、鏡筒側爪部７２をカメラ側マウント部２０を越えて撮影者側に挿入する。この光軸方向への相対移動の際に、鏡筒側マウント部７０の被ガイド部４２はカメラ側マウント部２０のガイド部４１の内面に接触する。このときには、係合突起７３は係合溝２６に嵌合（係合、当接）していない。そして、被ガイド部４２とガイド部４１とが接触した状態でレンズ鏡筒２とカメラ１とを光軸周りに相対回転させて鏡筒側爪部７２をカメラ側爪部２３とカメラ側マウント基部２１との間に挿入すると、カメラ１とレンズ鏡筒２との光軸方向への相対移動が制限される。
【００４２】
図２はレンズ鏡筒２を装着した状態を示す。このときには、押さえバネ２４のバネ力によってレンズ鏡筒２の鏡筒側基準面部７１ａとカメラ１のカメラ側基準面部２５ａとが密着するため、レンズ鏡筒２のカメラ１に対する光軸方向のガタつきが抑制される。
【００４３】
以上、本実施形態によると、以下の効果を有する。
（１）本実施形態では、レンズ鏡筒２の装着の際に、レンズ側の係合突起７３が、カメラ側の係合溝２６に当接（嵌合）するのに先立って被ガイド部４２とガイド部４１とが接触する。その後、引き続く、（装着操作を続けることによって生じる）鏡筒側基準面７１ａとカメラ側基準面２５ａとの接触によって、鏡筒側マウント部７０の、カメラ側マウント開口部２１ａ内における光軸方向への移動が案内される。このため、レンズ鏡筒２をカメラ１に簡単且つ確実に装着することができる。
【００４４】
（２）本実施形態における前飾り環２２において、図１に示すように、カメラ側基準面２５ａからガイド部４１の先端部（被写体側端部）までの距離をＡとし、レンズ鏡筒２の係合突起７３から被ガイド部４２までの距離をＢとしたとき、距離Ａが距離Ｂよりも大きくなるように設定されている（距離Ａ＞距離Ｂ）。これにより、レンズ鏡筒２をカメラ１に装着する際に、鏡筒側基準面部７１ａがカメラ側基準面部２５ａに当接するまえであり、且つ係合突起７３が係合溝２６に嵌合（当接）する前にガイド部４１が被ガイド部４２によって確実にガイドされ、係合突起７３が係合溝２６と滑らかに係合し（角部が衝突したり引っかかったりすることなく）、カメラ１に対するレンズ鏡筒２の位置決めが滑らか且つ確実に行われる。
【００４５】
（３）また、前飾り環２２の被写体側への突出量が大きくなるため、前飾り環２２とカメラボディ１０との一体感が増えるため、デザイン的に優れたものとなる。
【００４６】
（４）ガイド部４１及びカメラ側爪部２３を前飾り環２２に一体的に形成するため、部品点数の増加を防止することができる
【００４７】
（変形形態）
以上、説明した実施形態に限定されることなく、以下に示すような種々の変形や変更が可能であり、それらも本発明の範囲内である。
（１）本実施形態では、ガイド部４１と被ガイド部４２とが面接触しているが、この面接触部分に対してＯリング等のシールリングを配置してもよい。シールリングはガイド部４１側に設けてもよく、被ガイド部４２側に設けてもよい。シールリングを設けることにより、前飾り環２２と鏡筒側マウント部７０との間のシール性が向上し、防水性が良好となる。
（２）また、ガイド部４１に熱伝導シートを配置してもよい。この熱伝導シートは被ガイド部４２と接触する部分に配置される。熱伝導シートとしては、シリコン等の樹脂材料中に熱伝導特性の良い粒子（カーボン等）が分散した構造のものが良好であり、このような熱伝導シートは被ガイド部４２に密着するため、伝熱性が大きくなり、カメラ１側の熱をレンズ鏡筒２から放熱することができる。
（３）本実施形態において、カメラに装着されるカメラ用アクセサリは、撮影レンズを備える交換レンズ鏡筒であったが、カメラ用アクセサリはこれに限らず、例えば、コンバージョンレンズ、接写リング、ボディキャップ等であってもよい。また、カメラの種類も特に限定されず、スチルカメラでもムービーカメラでもよい。さらに、スチルカメラの場合、光学ファインダを備えた一眼レフ式のカメラでも、電子式ファインダを備えるカメラでもよい。
（４）本実施形態において、カメラボディとレンズ鏡筒とを締結するマウント機構は、バヨネット式のマウント機構であったが、これに限らず、例えば、スクリュー（ねじ込み）式のマウントであってもよい。このようなスクリュー式マウントの場合、ネジ山が制限部として機能する。また、バヨネット式マウントの場合は、実施形態において説明した３つ爪型のものに限らず、例えば、４つ爪型であってもよい。
なお、実施形態及び変形形態は、適宜組み合わせて用いることもできるが、詳細な説明は省略する。また、本発明は以上説明した実施形態によって限定されることはない。
【図面の簡単な説明】
【００４８】
【図１】本発明の一実施形態のカメラ及びレンズ鏡筒の光軸を含む断面図であり、レンズ鏡筒をカメラに装着する前の図である。
【図２】本発明の一実施形態のカメラ及びレンズ鏡筒の光軸を含む断面図であり、レンズ鏡筒をカメラに装着した図である。
【符号の説明】
【００４９】
１：カメラボディ、２：レンズ鏡筒、２０：カメラ側マウント部、２１ａ：カメラ側マウント開口部、２２：前飾り環、２３：カメラ側爪部、２５：カメラ側基準面規定部、２５ａ：カメラ側基準面部、４１：ガイド部、４２：被ガイド部、７０：鏡筒側マウント部、７１ａ：鏡筒側基準面部、７２：鏡筒側爪部
【図１】
2010060976.tif 000003
【図２】
2010060976.tif 000004